(57)【要約】【課題】印刷機において、少なくとも１つの縁部５で無接触状態で搬送路に沿って搬送される被印刷物１を案内する方法を改良して、被印刷物の縁部の不都合な運動を防止する。【解決手段】少なくとも１つの被印刷物縁部５に関して、少なくとも部分的に外向きに方向調整された吸込空気流９を用いる。【選択図】図１
2005029388.tif 000002
【特許請求の範囲】
【請求項１】
印刷機において、少なくとも１つの縁部（５）で無接触状態で搬送路に沿って搬送される被印刷物（１）を案内する方法において、
少なくとも１つの被印刷物縁部（５）に関して、少なくとも部分的に外向きに方向調整された吸込空気流（９）を用いることを特徴とする、被印刷物を案内する方法。
【請求項２】
吸込空気流（９）を、被印刷物（１）の上側および／または下側で案内する、請求項１記載の方法。
【請求項３】
印刷機において、少なくとも１つの縁部（５）で無接触状態で搬送路に沿って搬送される被印刷物（１）を案内する装置において、
被印刷物（１）の搬送路の領域から空気を吸い込むための吸気装置（８）が設けられており、該吸気装置（８）が、少なくとも部分的に外向きに方向調整された吸込空気流（９）を形成するようになっていることを特徴とする、被印刷物案内装置。
【請求項４】
被印刷物（１）を上側および／または下側で支持する吸込空気流（９）を形成するための吸気装置（８）が設けられている、請求項３記載の被印刷物案内装置。
【請求項５】
吸気装置（８）が、通気孔（１１）の設けられた、被印刷物（１）の搬送路を側方で制限する壁（１０）を備えている、請求項３または４記載の被印刷物案内装置。
【請求項６】
吸気装置（８）が、少なくとも１つの予備室（１２）を備えている、請求項３から５までのいずれか１項記載の被印刷物案内装置。
【請求項７】
吸込空気流（９）に作用する少なくとも１つの空気案内エレメント（６，７）が設けられている、請求項３から６までのいずれか１項記載の被印刷物案内装置。
【請求項８】
少なくとも１つ、有利には２つの空気案内エレメント（６，７）が、被印刷物（１）の上側および／または下側で、被印刷物（１）に対して実質的に平行の一平面において搬送路の領域に突入している、請求項７記載の被印刷物案内装置。
【請求項９】
空気案内エレメント（６，７）が、吸気装置（８）に隣接していて、かつ予想される最も狭幅の被印刷物（１）の搬送路の領域まで突入している、請求項３から８までのいずれか１項記載の被印刷物案内装置。
【請求項１０】
吸気装置（８）および空気案内エレメント（６，７）が、搬送路の経過に従って設けられている、請求項３から９までのいずれか１項記載の被印刷物案内装置。
【発明の詳細な説明】
【技術分野】
【０００１】
本発明は、印刷機において、少なくとも１つの縁部で無接触状態で搬送路に沿って搬送される被印刷物を案内する方法に関する。
【０００２】
また本発明は、印刷機において、少なくとも１つの縁部で無接触状態で搬送路に沿って搬送される被印刷物を案内する装置に関する。
【背景技術】
【０００３】
印刷機、特に電子写真式印刷機では、被印刷物、たとえば枚葉紙は、搬送ベルト、グリッパシステムまたはそれに類するものによって、搬送路に沿って搬送される。
【０００４】
この場合被印刷物の搬送は、被印刷物の個々の領域しか適当な搬送エレメントと接触しないように行われる。たとえば被印刷物は、静電式の搬送ベルトにセンタリングして載設して搬送することができ、その間被印刷物の片方または両方の縁部は無接触状態で維持される。
【０００５】
縁部の無接触状態は、ドイツ連邦共和国特許出願公開第１０１４５００５号明細書で提案されているように、マイクロ波定着装置を使用する際に必要である。ここではたとえばトナーが先ずマイクロ波によって被印刷物の縁部に定着される。マイクロ波アプリケータの直後で被印刷物が接触すると印刷画像の汚れにつながり得るので、被印刷物の縁部で無接触状態の搬送が考慮される。このために有利には、印刷物搬送のために静電式の搬送ベルトが用いられ、この静電式の搬送ベルトは印刷物に対してセンタリングして配置されている。
【０００６】
被印刷物が縁部で無接触状態で搬送されると、縁部領域において不都合な運動が生じることとなる。縁部は揺動し始めるか不都合に曲げ変形し、特に垂れ下がるか波打つかまたはこれに類する状態になる。
【０００７】
不都合な運動によって印刷品質の低下が生じ得る。トナー層に不都合な影響が生じるか、または平版式の印刷機もしくはインクジェット印刷機内でまだ乾燥していないインキが流れ得る。搬送路が別の装置によって案内される場合、被印刷物縁部の運動によって、被印刷物が存在する入口スリットに接触するかまたは当接し得る。これによって被印刷物が破損するか、または紙詰まりが生じ得る。
【特許文献１】ドイツ連邦共和国特許出願公開第１０１４５００５号明細書
【発明の開示】
【発明が解決しようとする課題】
【０００８】
したがって本発明の課題は、冒頭で述べたような形式の、被印刷物を案内する方法および被印刷物案内装置を改良して、少なくとも１つの縁部で無接触状態で搬送路に沿って搬送される被印刷物の縁部の不都合な運動を防止することである。
【課題を解決するための手段】
【０００９】
この課題を解決するための本発明の方法によれば、少なくとも１つの被印刷物縁部に関して、少なくとも部分的に外向きに方向調整された吸込空気流を用いる。
【００１０】
被印刷物縁部の領域で空気を吸い出すことによって、この領域における主立った乱流動作が防止され、被印刷物縁部の案内が安定したまま維持されるか、もしくは積極的に安定される。
【００１１】
搬送路に向かう吸込空気流の成分は、追加的に被印刷物の搬送運動を助成する。
【００１２】
特に有利な方法では、吸込空気流を、被印刷物の上側および／または下側で案内する。
【００１３】
被印刷物の上側および／または下側の層流によって、縁部は比較的安定した状態で案内することができる。特にこの流れの調整に関して、被印刷物縁部の所望の湾曲状態を形成するかまたは助成することができる。吸込空気流が、被印刷物の片側でたとえば低減される（ゼロまで減らすと吸込空気流は専ら片側で案内される）と、被印刷物縁部は反対方向に湾曲される。
【００１４】
この課題を解決するための本発明の装置によれば、被印刷物の搬送路の領域から空気を吸い込むための吸気装置が設けられており、該吸気装置が、少なくとも部分的に外向きに方向調整された吸込空気流を形成するようになっている。
【００１５】
そのような吸込空気流の利点は既に記載した。
【００１６】
被印刷物案内装置の有利な実施形態によれば、被印刷物を上側および／または下側で支持する吸込空気流を形成するための吸気装置が設けられている。
【００１７】
既に記載したように、このようにして被印刷物縁部は所望の形式で湾曲させることができる。有利には被印刷物縁部を特に安定した状態にすることができ、ここでは実質的に縁部の曲げ変形が存在しない。たとえばマイクロ波装置のスリットを通る搬送は、接触のリスクなしに簡単に実現可能である。不都合な運動による被印刷物上の印刷画像の画像品質低下は、確実に排除することができる。
【００１８】
被印刷物案内装置の特に有利な実施形態によれば、吸気装置が、通気孔の設けられた、被印刷物の搬送路を側方で制限する壁を備えている。
【００１９】
通気孔によって、有利には比較的均等な吸込空気流を形成することができ、これによって被印刷物縁部の比較的安定した案内を実現することができる。特に壁に局所的にそれぞれ異なって分配された通気孔配置構成に関して、吸込空気流を局所的に変化させることができる。たとえば原則として被印刷物の上方に比較的迅速な吸込空気流を形成することができる。必要な場合、重力に基づく被印刷物縁部の曲げ変形を有利な形式で補償することができる。
【００２０】
適当な通気孔分配構造によって、被印刷物を良好に被印刷物路内の変化に応じて調節することができる。
【００２１】
吸込空気流をさらに均等に形成するために、吸気装置が、少なくとも１つの予備室を備えている。このようにして搬送路に対して平行の別の領域を介して均等な負圧を形成することができ、この負圧によって再び吸込空気流が形成される。
【００２２】
被印刷物案内装置の有利な実施形態では、吸込空気流に作用する少なくとも１つの空気案内エレメントが設けられている。
【００２３】
この空気案内エレメントは、吸込空気流を次のように案内し、つまり吸込空気流が有利には局所的に、吸込空気流の形成される領域の周辺に直接的に位置しない場所でも作用するように案内する。これによって被印刷物案内装置は作用範囲でよりフレキシブルになる。
【００２４】
これによってさらに吸込空気流を良好に方向付けすることができるので、被印刷物に対する所望の影響を有する流動特性を所望の形式で形成することができる。
【００２５】
被印刷物縁部を安定した方向で保持するため、または所望の湾曲状態を形成するために、吸込空気流は被印刷物の上側および／または下側で作用することができる。したがって本発明によれば、少なくとも１つ、有利には２つの空気案内エレメントが、被印刷物の上側および／または下側で、被印刷物に対して実質的に平行の一平面において搬送路の領域に突入している。
【００２６】
この場合空気案内エレメントの平面は、必ずしも被印刷物に対して平行に位置する必要はない。ある程度の角度範囲の平行平面からのずれは完全に許容され、また被印刷物縁部の安定した案内も維持されたままである。
【００２７】
印刷機内で、多くの場合それぞれ異なる幅を有する様々な紙サイズ（紙判）もしくは被印刷物が処理される。したがって被印刷物案内装置は次のようにフレキシブルに形成するのが望ましく、つまり被印刷物案内装置が、設定最大幅を有する被印刷物でも設定最小被印刷物でも案内するか、もしくは縁部で安定させることができるように形成するのが望ましい。
【００２８】
したがって本発明の被印刷物案内装置では、空気案内エレメントが、吸気装置に隣接していて、かつ予想される最も狭幅の被印刷物の搬送路の領域まで突入していて、そうして被印刷物案内装置の拡大した作用範囲が提供される。
【００２９】
吸気装置は、側方で搬送路を制限し、そうして実施できる最大被印刷物幅を制限する。本発明の空気案内エレメントによって、吸込空気流は、予想される最も狭幅の被印刷物の少なくとも１つの縁部の領域でも案内される。これによって被印刷物縁部は有利な形式で案内するか、もしくは安定させることができる。このようにして被印刷物案内装置の幅に関する広範囲の融通性を達成することができる。
【００３０】
本発明の被印刷物案内装置の有利な実施形態によれば、吸気装置および空気案内エレメントが搬送路の経過に従って延びている。有利には被印刷物案内装置は、それぞれ異なる搬送路経過で、被印刷物縁部の安定化および案内をもたらすことができる。この場合被印刷物案内装置は、常に搬送路と実質的に同一平面に存在し、搬送路面が湾曲するかまたは別の形式で変化する場合でもそうである。
【００３１】
被印刷物案内装置は、ドイツ連邦共和国特許第１００５９９１３号明細書で反転装置用に提案されているように、たとえば螺旋状の搬送路に従って延在させることもできる。
【００３２】
印刷機内で、被印刷物は別の面に案内することもできる。たとえば反転装置のために、搬送路はたとえば適当な曲率半径を有することができる。被印刷物は搬送路面に関して適当に湾曲される。
【００３３】
本発明の被印刷物案内装置によって、被印刷物の縁部は、湾曲している間でも安定した状態で案内することができる。
【００３４】
本発明で述べた実施例は本発明の権利範囲を制限するものではなく、本発明の実施例からその特徴を有する別の様々な構成も考えられる。
【発明を実施するための最良の形態】
【００３５】
次に本発明の実施の形態を図示の実施例を用いて詳しく説明する。
【００３６】
図１には、本発明の被印刷物案内装置を平面図で示した。被印刷物１は搬送路を矢印２の方向で搬送される。運動は搬送ベルト３を介して被印刷物１に伝達される。被印刷物１は、原則として様々な形式、たとえば静電力を用いて搬送ベルト３上で保持することができる。図１に示した搬送ベルト３では、被印刷物１は吸込孔４を介して搬送ベルト３上で保持される。
【００３７】
被印刷物１の、破線で示した縁部領域５（以下に縁部５とも被印刷物縁部５とも記載する）は、空気案内エレメント６，７の周辺に位置する。図１の平面図では上位の空気案内エレメント６だけを示した。図２では両方の空気案内エレメント６，７を看取することができる。
【００３８】
空気案内エレメント６，７は、吸気装置８に接続している。
【００３９】
図２には、吸気装置８を横断面図で示した。
【００４０】
被印刷物１は、縁部領域５で、両方の空気案内エレメント６，７の間でセンタリングして位置するように、搬送ベルト３上で案内される。
【００４１】
従来の被印刷物案内装置の配置構成では、被印刷物１は自重によって搬送ベルト３上で保持される。縁部領域５は、重力によって下向きに垂れ下がり、かつ／または乱流によって、不都合な波形形成または別の曲げ変形が生じるように作用され得る。さらにまた被印刷物１の縁部５が揺動し始めるようになり得る。
【００４２】
図示の被印刷物案内装置では、被印刷物縁部５の不都合な曲げ変形または揺動を効果的に防止することができる。
【００４３】
空気案内エレメント６，７の間で、吸込空気流９が被印刷物１の縁部５に向かって案内される。図面では吸込空気流９は矢印で記号化して示した。吸込空気流９は安定した状態で案内するように被印刷物縁部５に作用するので、被印刷物縁部５は必要に応じて湾曲した状態にもフラットな状態にも方向調整することができ、この場合吸込空気流９は有利には縁部５を安定化するのに用いられる。図示の実施例では、少なくとも１つの被印刷物縁部５が、フラットな状態で空気案内エレメント６，７に対して平行に位置している。空気案内エレメント６，７は、被印刷物１の搬送路を制限する壁１０に隣接している。この壁１０は通気孔１１を備えている。壁１０は吸気装置８の構成部分である。
【００４４】
壁１０に続いて、吸気装置８は予備室１２を備えている。この予備室１２に先ず均等な負圧を形成することができる。次いで壁１０の通気孔１１を介して、予備室１２の負圧に応じた均等な空気が、空気案内エレメント６，７の間の領域から吸い込まれ、その結果前記領域で均等な吸込空気流９を形成することができ、この吸込空気流９は被印刷物縁部５を安定した状態で案内するのに役立つ。フラットでセンタリングした位置からの被印刷物縁部５のずれは、被印刷物１の上下における持続的な吸込空気流９によって防止される。
【００４５】
予備室１２の内側に負圧を形成するために、空気は、この予備室１２から、送風機またはポンピング装置１３によって吸い出される。図１に示したように、適当な負圧を形成するために、複数のポンピング装置１３を使用することができる。さらに単個のポンピング装置１３を用いる構成も考えられる。
【００４６】
原則的に予備室１２を省略することもできる。
【００４７】
被印刷物縁部５の所望の湾曲形状は、本発明の被印刷物案内装置によって達成することができる。このためには吸込空気流９を被印刷物１の上側および／または下側で次のように制御すれば十分であり、つまりそれぞれ異なる流れ速度に起因する相対的な圧力差によって、シート縁部５を所望の形式で湾曲する力がシート縁部５に作用するように制御すれば十分である。このためにはたとえば壁１０における通気孔１１の配置構成を適当な形式で局所的に変化させればよい。
【００４８】
図３には、被印刷物案内装置の経過を概略的に示した。
【００４９】
被印刷物１は、被印刷物１の搬送路に追従する。被印刷物１は、矢印２の方向で、前述の搬送エレメントを介して搬送される。搬送路は、図示の実施例では湾曲した経過を成している。このような経過は、たとえば反転装置の内側に存在する。
【００５０】
空気案内エレメント６，７は、被印刷物１の上下に設けられていて、これらはここでは破線で示した。空気案内エレメント６，７は、被印刷物１の湾曲した搬送路に従って設けられている。このようにして安定した状態で案内される被印刷物縁部５を連続的に確保することができる。
【００５１】
搬送路は、湾曲した経過の間でも少なくとも１つの壁１０によって制限されたままであり、この壁１０に空気案内エレメント６，７が隣接している。判りやすくするために、ここでは壁１０は図示していない。壁１０は空気案内エレメント６，７の間に存在する。空気案内エレメント６，７は、図平面に対して垂直方向で延びていて、かつ被印刷物１の縁部５を越えて延びている。
【００５２】
そのような配置構成は、たとえば反転装置に利用することができる。この配置構成は、特にドイツ連邦共和国特許第１００５９９１３号明細書に記載の反転装置に使用することができる。前掲明細書には被印刷物をベルトの間で方向転換することが提案されている。搬送路は螺旋状の経過を有しており、この螺旋状の経過に従って本発明の被印刷物案内装置を設けることができる。
【００５３】
原則として被印刷物案内装置は搬送路の考えられるそれぞれの変化に従って設けることができる。このようにして被印刷物１の搬送方向が変わる領域において、被印刷物縁部５の安定した案内を達成することができる。
【００５４】
ここで記載の被印刷物案内装置と、被印刷物縁部５を安定した状態で案内するための、被印刷物案内装置によって形成される吸込空気流９とは、原則として被印刷物の両方の縁部５に作用するのが望ましい。片方の縁部５だけの作用は、別のエレメントによって被印刷物１の残りの領域を案内しかつ／または保持することができる場合に極めて有用である。
【００５５】
図４には、被印刷物案内装置を平面図で示した。この図４には、被印刷物１の縁部５が依然として吸込空気流９によって案内できる状態で、どの幅域に関して被印刷物１を変化できるのかを示した。
【００５６】
被印刷物１の搬送路は壁１０によって側方で制限されている。被印刷物１は壁１０に当接してはならないので、被印刷物１の最大幅ｂは制限されている。この場合ミリメートル範囲の安全間隔を維持するのが望ましい。
【００５７】
被印刷物１の縁部領域５が依然として空気案内エレメント６，７の領域に位置している間は、吸込空気流９は縁部５を安定化するかもしくは案内する。したがって被印刷物１の最小幅ａは、空気案内エレメント６，７が被印刷物の搬送路に突入する区間ｌから形成される。この場合有利には、依然として空気案内エレメント６，７が被印刷物１にかかって延びる（平面図でみて一部で被印刷物に重畳するように延びる）のが望ましい。ここでも空気案内エレメント６，７が予想される最も狭幅の被印刷物１にかかって延びるミリメートル範囲の安全領域を設けるのが望ましい。
【００５８】
本発明の被印刷物案内装置は極めてフレキシブルであり、様々な幅の被印刷物１に適している。空気案内エレメント６，７が搬送路の領域に突入する区間ｌは、次のように選択するのが望ましく、つまり予想される最も狭幅の被印刷物１が依然として吸込空気流９によって案内できるように選択するのが望ましい。
【００５９】
壁１０の相互間隔は、予想される最大幅を有する被印刷物１が壁１０の間を通過するような大きさにするのが望ましい。
【００６０】
このような構成条件以外に、被印刷物案内装置の運転中の調節は不要である。
【００６１】
使用される被印刷物１が様々な坪量（つまり重量）を有していても、原則として運転中に被印刷物案内装置を後調整する必要がない。
【００６２】
したがって様々な被印刷物１のために極めてフレキシブルな被印刷物案内装置が提供され、この被印刷物案内装置は、簡単な形式で、少なくとも１つの縁部５で非接触式に搬送される被印刷物１の安定化もしくは案内を実現する。したがって縁部５の不都合な運動は、理想的な形式で回避することができる。その他の障害も迅速に補償することができる。被印刷物縁部５が空気案内エレメント６，７の間でセンタリング位置から離間運動されると、吸込空気流９は被印刷物縁部を迅速に再びセンタリング位置にもたらす。縁部５の不都合な曲げ変形を回避し、かつたとえば反転装置内での運転中における所望の湾曲形状を意図的に形成することができる。ここでは被印刷物縁部５は空気案内エレメント６，７の間で必ずしもセンタリング位置を占める必要はない。壁１０における別の通気孔配置構成によって、被印刷物縁部５は空気案内エレメント６，７の間で別の位置を占めることもできるが、センタリング位置は有利である。
【００６３】
さらに被印刷物案内装置は極めて丈夫で、別の不都合な作用に対してフレキシブルである。たとえば空気案内エレメント６，７の方向性の変化が被印刷物縁部の機能を実質的に損なうことはない。被印刷物案内装置の機能にとって、搬送路の平面に対して厳密に平行に空気案内エレメント６，７を位置決めする必要はなく、広範囲で、大きな角度範囲に関して空気案内エレメント６，７の方向変化を許容することができる。
【図面の簡単な説明】
【００６４】
【図１】被印刷物案内装置の平面図である。
【図２】吸気装置の横断面図である。
【図３】被印刷物案内装置の経過を示す概略図である。
【図４】被印刷物案内装置を被印刷物の幅と共に示す平面図である。
【符号の説明】
【００６５】
１  被印刷物、  ２  矢印、  ３  搬送ベルト、  ４  吸込孔、  ５  縁部領域、  ６，７  空気案内エレメント、  ８  吸気装置、  ９  吸込空気流、  １０  壁、  １１  通気孔、  １２  予備室、  １３  ポンピング装置、  ａ，ｂ  幅、  ｌ  区間
【図１】
2005029388.tif 000003
【図２】
2005029388.tif 000004
【図３】
2005029388.tif 000005
【図４】
2005029388.tif 000006